(57)【要約】【課題】ベルトの折り返し部分を縫着する縫糸の縫い終わり端部の処理を、カシメ鋲を利用して行うようにし、ベルトの折り返し部分をミシンによって縫着することができるベルトの折返した重なり部分の縫糸処理方法を提供する。【解決手段】ベルトの折返した重なり部分にカシメ鋲１０の挿通孔１２を貫通状に穿設し、このベルトの重なり部分の縫糸９による縫着を、挿通孔１２を挟んでベルトの幅方向の両側において、これら縫糸９の終端部が挿通孔１２の近接位置になるよう別々に行い、この後、カシメ鋲１０を挿通孔１２にセットしてカシメ結合する際、前記縫糸９の終端部をカシメ鋲１０の頭部１３又は座金１４によって隠蔽状に処理する。【選択図】図４
2006314608.tif 000002
【特許請求の範囲】
【請求項１】
ベルトの折返した重なり部分を、縫糸での縫着とカシメ鋲の結合を併用して固着するベルトの折返した重なり部分の縫糸処理方法において、
前記ベルトの折返した重なり部分にカシメ鋲の挿通孔を貫通状に穿設し、このベルトの重なり部分の縫糸による縫着を、挿通孔を挟んでベルトの幅方向の両側において、これら縫糸の終端部が挿通孔の近接位置になるよう別々に行い、この後、カシメ鋲を挿通孔にセットしてカシメ結合する際、前記縫糸の終端部をカシメ鋲の頭部又は座金によって隠蔽状にすることを特徴とするベルトの折返した重なり部分の縫糸処理方法
【発明の詳細な説明】
【技術分野】
【０００１】
この発明は、ベルトの端部に接続環や接続金具を取り付けるため、ベルトの折り返した重なり部分を、縫糸での縫着とカシメ鋲の結合を併用して固着する処理方法において、縫糸の端部が解けることのないようにすると共に、縫製部分の見た目の向上が図れるベルトの折返した重なり部分の縫糸処理方法に関する。
【背景技術】
【０００２】
ランドセルの背負いベルトや、この背負いベルトをランドセルに対して長さ調整可能に接続する子紐ベルトのようなベルトにおいては、ベルトの端部にランドセル本体に取付けるための接続環や、ベルト長さの調節のための接続金具を取り付ける必要があるため、ベルトの端部を折り返すことによって、この折返し部分の内側に接続環や接続金具の一部を挟み込み、このベルトの折り返した重なり部分を、縫糸での縫着とカシメ鋲の結合を併用して固着する処理方法が採用されている。
【０００３】
従来の処理方法は、ベルトの折り返した重なり部分をカシメ鋲のカシメによって結合すると共に、カシメ鋲と離れた位置において、ベルトの重なり部分を縫糸でベルトの幅方向に縫着するようにしている。
【０００４】
ところで、縫糸でベルトの重なり部分を縫着する場合、縫糸の縫い終わり端部を、縫糸が解けることのないように始末する端部処理が必ず必要になる。
【０００５】
上記のようなベルトの重なり部分の縫着を手縫いによって行う場合、手作業で結び目を設けることによって、縫糸が解けることのないように端部処理することができる。
【発明の開示】
【発明が解決しようとする課題】
【０００６】
しかし、手縫いによる縫着は、作業に手間と時間がかかり、作業能率が悪いだけでなく、作業者の技量によって仕上がりの形態にバラツキが生じることになり、均一の製品を得るのが困難である。
【０００７】
また、ベルトは厚みのある皮や合成皮革からなり、これを折り返して重なり部分を手縫いによって縫着するには、強い力と共に熟練した技術を必要とすることになり、このような観点から、ベルトの重なり部分の縫着にミシン縫いの導入が要望されている。
【０００８】
しかしながら、ミシンによる縫着の場合、縫糸の縫い終わり端部がベルトの一面側において、切断された状態のままになるので、縫糸が解けることのないように始末する端部処理が困難となり、ベルトの折り返し部分の縫着にミシンの導入ができない原因になっている。
【０００９】
そこで、この発明の課題は、ベルトの折り返し部分を縫着する縫糸の縫い終わり端部の処理を、カシメ鋲を利用して行うようにし、ベルトの折り返し部分をミシンによって縫着することができるベルトの折返した重なり部分の処理方法を提供することにある。
【課題を解決するための手段】
【００１０】
上記のような課題を解決するため、この発明は、ベルトの折返した重なり部分を、縫糸での縫着とカシメ鋲の結合を併用して固着するベルトの折返した重なり部分の縫糸処理方法において、前記ベルトの折返した重なり部分にカシメ鋲の挿通孔を貫通状に穿設し、このベルトの重なり部分の縫糸による縫着を、挿通孔を挟んでベルトの幅方向の両側において、これら縫糸の終端部が挿通孔の近接位置になるよう別々に行い、この後、カシメ鋲を挿通孔にセットしてカシメ結合する際、前記縫糸の終端部をカシメ鋲の頭部又は座金によって隠蔽状にする構成を採用したものである。
【００１１】
上記ベルトは、皮や合成皮革からなり、ランドセルにおける背負いベルトや、この背負いベルトの下端側をランドセルに対して長さ調整可能に接続する子紐ベルトのようなベルトであり、ベルトの端部にランドセル本体に取付けるための接続環や、ベルト長さの調節のための接続金具を取り付ける必要があるため、ベルトの端部を折り返すことによって、この折返し部分の内側に接続環や接続金具の一部を挟み込み、このベルトの折り返した重なり部分を、縫糸での縫着とカシメ鋲の結合を併用して固着することになる。
【００１２】
上記ベルトの折り返した重なり部分の縫糸による縫着は、ベルトの幅方向の両側縁が縫い始めとなり、側縁から中央に設けた挿通孔に向けて縫い進み、縫い終わり端部が挿通孔の近接する位置になるように縫着する。
【００１３】
上記縫糸の終端部は、挿通孔の周辺で、カシメ鋲の頭部や座金の外径内に収まる範囲内の位置に設定し、ベルトの折り返した重なり部分をカシメ鋲で固定化したとき、縫糸の終端部がカシメ鋲の頭部や座金によって覆われ、これにより、縫糸の終端部からの解けの発生を防止し、また、縫糸の終端部を見えないようにすることで、ベルトの見た目の向上が図れる。
【発明の効果】
【００１４】
この発明によると、ベルトの折返した重なり部分にカシメ鋲の挿通孔を貫通状に穿設し、このベルトの重なり部分の縫糸による縫着を、挿通孔を挟んでベルトの幅方向の両側において、これら縫糸の終端部が挿通孔の近接位置になるよう別々に行い、この後、カシメ鋲を挿通孔にセットしてカシメ結合する際、前記縫糸の終端部をカシメ鋲の頭部又は座金によって隠蔽状に処理するようにしたので、ベルトの折り返し部分を縫着する縫糸の終端部の処理がカシメ鋲を利用して行え、縫糸の終端部からの解けの発生を防止することができ、これによって、ベルトの折り返し部分をミシンによって縫着することが可能となり、手縫いの場合に生じた問題点をことごとく解決することができる。
【００１５】
また、縫糸の縫い終わり端部をカシメ鋲の頭部や座金によって覆うので、縫糸の終端部からの解けの発生を防止することができ、縫糸の終端部を外部に見えないようにすることで、ベルトの仕上がり外嵌の見た目の向上が図れる。
【発明を実施するための最良の形態】
【００１６】
以下、この発明の実施の形態を添付図面に基づいて説明する。
【００１７】
図１乃至図３において、ランドセル１に用いられているベルトは、上端部をランドセル本体１ａの背負い面上部に取付ける左右一対となる背負いベルト２と、この背負いベルト２の下端側をランドセル本体１ａに対して長さ調整可能に接続する子紐ベルト３からなり、前記背負いベルト２は、ランドセル本体１ａの背当て面の上部に固定した取付け具４に図４で示す接続環５を介して上端側を結合するようになっている。
【００１８】
また、子紐ベルト３は、図５に示すように、一端側を接続環６と取付け座７を介してランドセル本体１ａの下面に取付け、その他端側にベルト長さの調節のための接続金具８が設けられ、図３の如く、背負いベルト２の下端側をこの接続金具８に挿通し、背負いベルト２に所定間隔で設けた調節孔を選んで接続金具８の係止ピン８ａに差し込むことにより、ベルト全体の長さを調整することができるようになっている。
【００１９】
上記背負いベルト２の上端部は、図４のように、接続環５を取付けるため、背負いベルト２の上端部を折り返し、この折返し部分２ａの内側に接続環５の一部を挟み込み、接続環５が外れないよう、この背負いベルト２の折り返した重なり部分を、縫糸９での縫着とカシメ鋲１０の結合を併用して固着している。
【００２０】
また、子紐ベルト３は、一端側に接続環６と他端側に接続金具８を取付けるため、子紐ベルト３の両端部を折り返し、この折返し部分３ａの内側に接続環６又は接続金具８の一部を挟み込み、この子紐ベルト３の折り返した重なり部分を、縫糸９での縫着とカシメ鋲１０の結合を併用して固着している。
【００２１】
上記背負いベルト２の折り返した重なり部分及び、子紐ベルト３の折り返した重なり部分を縫糸９とカシメ鋲１０で処理する方法は共に等しく、次に、上記背負いベルト２の場合を例にして縫糸９の端部を処理する方法を説明する。
【００２２】
図４（ｂ）と（ｃ）のように、背負いベルト２の折返した重なり部分にカシメ鋲１０の軸部１１を差し込む挿通孔１２を貫通状に穿設し、この背負いベルト２の重なり部分の縫糸９による縫着にミシンを用い、挿通孔１２を挟んで背負いベルト２の幅方向の両側において、背負いベルト２の幅方向の両側縁が縫い始めの位置となり、側縁から内側に向かったあと背負いベルト２の長さ方向に屈曲させて直線状に複数の目を縫い、この直線状縫目の途中から屈曲して中央に設けた挿通孔１２に向けて縫い進み、ミシン針から切断する縫い終わりの終端部９ａが挿通孔１２の近接位置になるよう別々に縫着する。
【００２３】
ここで、上記カシメ鋲１０は、図４（ｃ）のごとく、軸部１１の一端に軸部よりも大径の頭部１３を有し、軸部１１の他端側に外嵌する内径と頭部１３と略同様の外径を有する座金１４との組み合わせからなり、軸部１１の端部を加圧変形させて拡径部１１ａとすることにより、座金１４が抜け止となり、背負いベルト２の折返した重なり部分を結合するものである。
【００２４】
従って、上記縫糸９の縫い終わり端部は、背負いベルト２の一面側において、挿通孔１２の周辺近接位置で、カシメ鋲１０の頭部１３や座金１４の外径内に収まる範囲内の位置に設定する。
【００２５】
上記のように、背負いベルト２の折返した重なり部分を、縫糸９の切断による終端部９ａが挿通孔１２の近接位置になるよう両側から縫糸９で別々に縫着した後、背負いベルト２の表面側からカシメ鋲１０の軸部１１を挿通孔１２に差し込み、背負いベルト２の裏面側において軸部１１に座金１４をセットし、この状態で軸部１１の端部を加圧して拡径させることにより、背負いベルト２の折返した重なり部分をカシメ鋲１０によってカシメ結合する。  
【００２６】
上記のようにしてカシメ鋲１０によるカシメ結合を行えば、図４（ａ）のように、背負いベルト２の一面側に位置する上記縫糸９の終端部９ａをカシメ鋲１０の頭部１３及び座金１４によって覆うことで隠蔽状にすることができる。
【００２７】
上記のように、縫糸９の終端部９ａがカシメ鋲１０の頭部１３や座金１４で覆われることにより、縫糸９の終端部９ａからの解けの発生を防止することができ、これによって、縫糸９によるベルトを折返した重なり部分の縫着がミシンを用いて行えることになり、縫着作業の能率化が図れることになり、また、縫糸９の終端部９ａを外部に見えないようにすることで、背負いベルト２の見た目の向上が図れる。
【００２８】
なお、図５で示した子紐ベルト３の両端折り返し部分においても、同様の処理を施すことにより、子紐ベルト３の見た目の向上が図れる。
【図面の簡単な説明】
【００２９】
【図１】ランドセルとこの発明の縫糸処理方法を施した背負いベルトの上部構造を示す斜視図
【図２】ランドセルの側面図
【図３】ランドセルの底部構造を示す下から見た斜視図
【図４】（ａ）はこの発明の縫糸処理方法を施した背負いベルトの上端部を示す正面図、（ｂ）は縫糸処理方法のカシメ鋲を施す前の背負いベルトの上端部を示す拡大正面図、（ｃ）はカシメ鋲による背負いベルトの結合部分を示す拡大した縦断面図
【図５】（ａ）はこの発明の縫糸処理方法を施した子紐ベルトの底面図、（ｂ）は同正面図
【符号の説明】
【００３０】
１        ランドセル
１ａ      ランドセル本体
２        背負いベルト
３        子紐ベルト
４        取付け具
５        接続環
６        接続環
７        取付け座
８        接続金具
８ａ      係止ピン
９        縫糸
９ａ      終端部
１０      カシメ鋲
１２      挿通孔
１１      軸部
１１ａ    拡径部
１３      頭部
１４      座金
【図１】
2006314608.tif 000003
【図２】
2006314608.tif 000004
【図３】
2006314608.tif 000005
【図４】
2006314608.tif 000006
【図５】
2006314608.tif 000007